(57)【要約】【課題】五徳が取り外された状態で使用されるのを防止する。【解決手段】バーナボディ２１及びバーナヘッド２２を有する内炎式のコンロバーナ２と、天板１１上に着脱可能に載置される五徳３とを備える加熱調理器１において、天板１１のバーナ用開口１２０から露出するバーナヘッド２２のヘッド上面部２２１に上方に突出する突起２４が形成され、調理容器Ｐを突起２４上に載置させたとき、調理容器Ｐが水平面に対して傾いた姿勢で保持されるとともに、調理容器Ｐの底部と突起２４の周囲のヘッド上面部２２１との間に一定の大きさの隙間が形成される。【選択図】図４
2020176793.tif 000002
【特許請求の範囲】
【請求項１】
環状のバーナボディ及び前記バーナボディ上に配設される環状のバーナヘッドを有し、天板に開口されたバーナ用開口から前記バーナヘッドのヘッド上面部が露出する内炎式のコンロバーナと、
前記天板上に着脱可能に載置される五徳と、を有する加熱調理器であって、
前記バーナヘッドは、前記ヘッド上面部に上方に突出する突起を有し、
前記突起は、前記五徳が前記天板上に載置されていない状態で、前記ヘッド上面部に前記調理容器を上方から降下させて前記調理容器を前記突起上に載置させたとき、前記調理容器が水平面に対して傾いた姿勢で保持されるとともに、前記調理容器の底部と前記突起の周囲の前記ヘッド上面部との間に一定の大きさの隙間が形成されるように設けられる加熱調理器。
【請求項２】
請求項１に記載の加熱調理器において、
前記突起は、前記ヘッド上面部の外周縁よりも内周側に上方に突出する突起内周面部を有し、
前記突起は、前記五徳が前記天板上に載置されていない状態で、前記天板上から前記ヘッド上面部に前記調理容器を水平方向にスライドさせて前記調理容器が前記突起内周面部に当接したとき、前記調理容器の底部と前記突起の周囲の前記ヘッド上面部との間に一定の大きさの隙間が形成されるように設けられる加熱調理器。
【請求項３】
請求項２に記載の加熱調理器において、
前記ヘッド上面部は、外周側から前記内周側に向かって下方に傾斜する傾斜面部を有し、
前記突起は、少なくとも前記突起内周面部が前記傾斜面部から上方に突出するように設けられる加熱調理器。
【請求項４】
請求項３に記載の加熱調理器において、
前記突起内周面部は、前記傾斜面部の立ち上がり角度よりも大きな立ち上がり角度を有する加熱調理器。
【請求項５】
請求項１〜４のいずれか１項に記載の加熱調理器において、
前記バーナヘッドは、前記ヘッド上面部に複数の前記突起を有し、
前記複数の突起は、異なる突出高さを有する加熱調理器。
【請求項６】
請求項５に記載の加熱調理器において、
前記複数の突起は、隣接する前記突起間の前記バーナヘッドの周方向の間隔が１８０度未満となるように設けられる加熱調理器。
【請求項７】
請求項５または６に記載の加熱調理器において、
前記複数の突起のうち前記突出高さの最も大きな最大突起は、使用者の操作側から離れた位置に設けられる加熱調理器。
【発明の詳細な説明】
【技術分野】
【０００１】
本発明は、内炎式のコンロバーナを備えた加熱調理器に関する。
【背景技術】
【０００２】
従来、天板のバーナ用開口の下方に設けられた内炎式のコンロバーナと、バーナ用開口の周囲の天板上に着脱可能に載置される五徳とを有する加熱調理器が知られている。上記内炎式のコンロバーナは、環状のバーナボディとバーナボディ上に配設される環状のバーナヘッドとを有する。この種の内炎式のコンロバーナでは、コンロバーナの中心に向かって内向きに複数の炎孔が形成され、炎孔に形成される火炎がバーナヘッドの中央開口を介して上方に導かれる（例えば、特許文献１）。
【０００３】
上記のような天板の下方に炎孔が形成される内炎式のコンロバーナを有する加熱調理器では、炎孔と調理容器との間の距離が長くなり高い熱効率が得られ難い。そのため、炎孔がバーナ用開口近傍に形成されるようにバーナヘッドのヘッド上面部を天板のバーナ用開口から露出させた内炎式バーナを有する加熱調理器が提案されている（例えば、特許文献２）。
【０００４】
しかしながら、バーナ用開口から露出するバーナヘッドのヘッド上面部の外周部は、略水平面を形成する環状体から構成される。それゆえ、五徳が天板上から取り外された状態でバーナ用開口から露出するバーナヘッドのヘッド上面部に調理容器を載置させても、バーナヘッド上で調理容器の姿勢が略水平に保持される。しかも、天板上からのバーナヘッドの突出高さが小さい場合、天板上で調理容器を水平方向にスライドさせてバーナヘッド上に調理容器を載置させることができる一方、天板からのバーナヘッドの突出高さ分、天板と調理容器との間に一定の高さの隙間が形成されるため、使用者は誤った使用状態に気づき難い。そして、上記のようにバーナヘッド上に調理容器が直接、載置されると、バーナヘッドの中央開口が調理容器で塞がれるため、炎孔から噴出されたガスが器具内部に還流し、着火不良や燃焼不良が生じるという問題がある。
【先行技術文献】
【特許文献】
【０００５】
【特許文献１】特開２００６−１３８５４４号公報
【特許文献２】特開２００５−２９９９８３号公報
【発明の概要】
【発明が解決しようとする課題】
【０００６】
本発明は上記課題を鑑みてなされたものであり、本発明の目的は、内炎式のコンロバーナを備えた加熱調理器において、五徳が天板上に載置されていない状態でバーナヘッド上に調理容器が載置されたとき、誤った使用状態でコンロバーナが使用されるのを防止するとともに、コンロバーナの着火不良や燃焼不良を防止することにある。
【課題を解決するための手段】
【０００７】
本発明は、
環状のバーナボディ及び前記バーナボディ上に配設される環状のバーナヘッドを有し、天板に開口されたバーナ用開口から前記バーナヘッドのヘッド上面部が露出する内炎式のコンロバーナと、
前記天板上に着脱可能に載置される五徳と、を有する加熱調理器であって、
前記バーナヘッドは、前記ヘッド上面部に上方に突出する突起を有し、
前記突起は、前記五徳が前記天板上に載置されていない状態で、前記ヘッド上面部に前記調理容器を上方から降下させて前記調理容器を前記突起上に載置させたとき、前記調理容器が水平面に対して傾いた姿勢で保持されるとともに、前記調理容器の底部と前記突起の周囲の前記ヘッド上面部との間に一定の大きさの隙間が形成されるように設けられる加熱調理器である。
【０００８】
上記加熱調理器によれば、バーナヘッドはバーナ用開口から露出するヘッド上面部に上方に突出する突起を有しているから、五徳が天板上に載置されていない状態で上方からヘッド上面部に調理容器を降下させると、調理容器は突起に当接する。そして、突起は、調理容器を突起上に載置させたとき、調理容器が水平面に対して傾いた姿勢で保持されるように形成されているから、コンロバーナの点火前に使用者に誤った使用状態を認識させることができる。また、上記加熱調理器によれば、調理容器を突起上に載置させたとき、調理容器の底部と突起の周囲のヘッド上面部との間に一定の大きさの隙間が形成されるが、調理容器の底部とヘッド上面部との距離は五徳が天板上に載置された正常状態よりも近接する。そのため、コンロバーナが点火されると、火炎が見え難かったり、突起の周囲の隙間から空気不足を示す黄色の火炎が漏出したりする。これにより、コンロバーナの点火後に使用者に誤った使用状態を認識させることができる。さらに、調理容器の底部と突起の周囲のヘッド上面部との間に隙間が形成されるから、炎孔から噴出されるガスの排出通路を確保することができ、器具内部へのガスの還流を抑えることができる。これにより、コンロバーナの着火不良や燃焼不良を防止することができる。
【０００９】
好ましくは、上記加熱調理器において、
前記突起は、前記ヘッド上面部の外周縁よりも内周側に上方に突出する突起内周面部を有し、
前記突起は、前記五徳が前記天板上に載置されていない状態で、前記天板上から前記ヘッド上面部に前記調理容器を水平方向にスライドさせて前記調理容器が前記突起内周面部に当接したとき、前記調理容器の底部と前記突起の周囲の前記ヘッド上面部との間に一定の大きさの隙間が形成されるように設けられる。
【００１０】
上記加熱調理器によれば、突起はヘッド上面部の外周縁よりも内周側に上方に突出する突起内周面部を有しているから、五徳が天板上に載置されていない状態で天板上からヘッド上面部に調理容器を水平方向にスライドさせると、調理容器がヘッド上面部を完全に覆う前に調理容器が突起内周面部に当接する。これにより、調理容器の中心がヘッド上面部の中心からずれて配置されるから、コンロバーナの点火前に使用者に誤った使用状態を認識させることができる。また、上記加熱調理器によれば、調理容器が突起内周面部に当接したとき、調理容器の底部と突起の周囲のヘッド上面部との間に一定の大きさの隙間が形成されるが、調理容器の底部とヘッド上面部との距離は五徳が天板上に載置された正常状態よりも近接する。そのため、コンロバーナが点火されると、火炎が見え難かったり、突起の周囲の隙間から空気不足を示す黄色の火炎が漏出したりする。これにより、コンロバーナの点火後に使用者に誤った使用状態を認識させることができる。さらに、調理容器の底部と突起の周囲のヘッド上面部との間に隙間が形成されるから、炎孔から噴出されるガスの排出通路を確保することができ、器具内部へのガスの還流を抑えることができる。これにより、コンロバーナの着火不良や燃焼不良を防止することができる。
【００１１】
好ましくは、上記加熱調理器において、
前記ヘッド上面部は、外周側から前記内周側に向かって下方に傾斜する傾斜面部を有し、
前記突起は、少なくとも前記突起内周面部が前記傾斜面部から上方に突出するように設けられる。
【００１２】
上記加熱調理器によれば、ヘッド上面部は外周側から内周側に向かって下方に傾斜する傾斜面部を有しており、少なくとも突起内周面部が傾斜面部から上方に突出するように設けられているから、五徳が天板上に載置されていない状態で突起上に調理容器が載置されると、調理容器の底部と突起の周囲のヘッド上面部との間には、外方に広がる隙間が形成される。また、突起内周面部はヘッド上面部の内周側に設けられた傾斜面部から上方に突出するように設けられているから、五徳が天板上に載置されていない状態で天板上からヘッド上面部に調理容器を水平方向にスライドさせて調理容器が突起内周面部に当接したとき、調理容器の中心がバーナヘッドの中心からずれて配置される。また、調理容器が突起内周面部に当接したとき、調理容器の底部と突起の周囲のヘッド上面部との間に一定の大きさの外方に広がる隙間が形成される。これにより、コンロバーナの点火前後において使用者に誤った使用状態を認識させることができるとともに、コンロバーナの着火不良や燃焼不良を防止することができる。
【００１３】
好ましくは、上記加熱調理器において、
前記突起内周面部は、前記傾斜面部の立ち上がり角度よりも大きな立ち上がり角度を有する。
【００１４】
上記加熱調理器によれば、突起内周面部の立ち上がり角度はバーナ上面部の傾斜面部のそれよりも大きいから、五徳が天板上に載置されていない状態で天板上からヘッド上面部に調理容器を水平方向にスライドさせて調理容器が突起内周面部に当接したとき、調理容器の底部と突起の周囲のヘッド上面部との間に一定の大きさの隙間が形成される。これにより、コンロバーナの点火前後において使用者に誤った使用状態を認識させることができるとともに、コンロバーナの着火不良や燃焼不良を防止することができる。
【００１５】
好ましくは、上記加熱調理器において、
前記バーナヘッドは、前記ヘッド上面部に複数の前記突起を有し、
前記複数の突起は、異なる突出高さを有する。
【００１６】
上記加熱調理器によれば、バーナヘッドはヘッド上面部に複数の突起を有するから、調理容器がヘッド上面部からずれて１つの突起上に載置されない場合でも、他の突起によって調理容器は水平面に対して傾いた姿勢で保持される。また、複数の突起は異なる突出高さを有するから、調理容器が複数の突起によって支持される場合でも、突起によって調理容器は水平面に対して傾いた姿勢で保持される。これにより、コンロバーナの点火前後において使用者に誤った使用状態を認識させることができるとともに、コンロバーナの着火不良や燃焼不良を防止することができる。
【００１７】
好ましくは、上記加熱調理器において、
前記複数の突起は、隣接する前記突起間の前記バーナヘッドの周方向の間隔が１８０度未満となるように設けられる。
【００１８】
上記加熱調理器によれば、複数の突起は隣接する突起間のバーナヘッドの周方向の間隔が１８０度未満となるようにヘッド上面部に設けられているから、五徳が天板上に載置されていない状態でヘッド上面部の突起上に調理容器が載置されたとき、確実に調理容器は水平面に対して傾いた姿勢で保持される。これにより、コンロバーナの点火前後において使用者に誤った使用状態を認識させることができるとともに、コンロバーナの着火不良や燃焼不良を防止することができる。
【００１９】
好ましくは、上記加熱調理器において、
前記複数の突起のうち前記突出高さの最も大きな最大突起は、使用者の操作側から離れた位置に設けられる。
【００２０】
上記加熱調理器によれば、最も大きな突出高さを有する最大突起は使用者の操作側から離れた位置に形成されるから、五徳が天板上に載置されていない状態でヘッド上面部の突起上に調理容器が載置されたとき、調理容器の底部と最大突起の周囲のヘッド上面部との間の最も大きな隙間は使用者から離れた位置に形成される。これにより、コンロバーナが点火されたときに調理容器の底部と最大突起の周囲のヘッド上面部との間に形成される隙間から漏出する火炎による使用者への影響を低減することができる。
【発明の効果】
【００２１】
以上のように、本発明に係る加熱調理器によれば、五徳が天板上に載置されていない状態でバーナヘッド上に調理容器が載置されたとき、使用者に誤った使用状態を認識させることができるとともに、コンロバーナの着火不良や燃焼不良を防止することができる。
【図面の簡単な説明】
【００２２】
【図１】図１は、本発明の実施の形態に係る加熱調理器の一例を示す概略斜視図である。
【図２】図２は、本発明の実施の形態に係る加熱調理器の一例を示すコンロバーナ周辺の概略斜視図である。
【図３】図３は、本発明の実施の形態に係る加熱調理器の一例を示すコンロバーナ周辺の概略縦断面図である。
【図４】図４は、本発明の実施の形態に係る加熱調理器の一例を示す突起周辺の概略縦断面図である。
【図５】図５は、本発明の他の実施形態に係る加熱調理器の一例を示すバーナヘッド周辺の概略上方視図である。
【発明を実施するための形態】
【００２３】
以下、本発明の実施の形態に係る加熱調理器を、添付図面を参照しながら具体的に説明する。
図１に示すように、本実施の形態に係る加熱調理器１は、略矩形箱状の器具本体１０と、単数または複数の内炎式のコンロバーナ２とを備えたガスコンロである。
【００２４】
本体上面部１０１を構成する天板１１上には、鍋やフライパン等の調理容器Ｐをコンロバーナ２の上方位置にて支持する五徳３が着脱可能に載置されている。また、本実施の形態に係る加熱調理器１では、使用者の操作側である器具本体１０の前縁１１２寄りの位置に、コンロバーナ２の点消火や火力調整を手動操作するための点消火操作子５が設けられている。なお、本明細書では、器具本体１０の上記前縁１１２側の本体周面部１０２、すなわち、点消火操作子５側の本体周面部１０２を加熱調理器１の正面とし、加熱調理器１を正面側から見たときの前縁１１２と後縁１１４とが対向する奥行き方向を前後方向、両側縁１１３が対向する幅方向を左右方向、高さ方向を上下方向という。
【００２５】
図２及び図３に示すように、天板１１には、コンロバーナ２と同数の略円形状のバーナ用開口１２０が開設されており、バーナ用開口１２０には、コンロバーナ２が下方から臨んでいる。コンロバーナ２は、器具本体１０内に配設される混合管（図示せず）と、内部にガス通路２００を有し、内周側に向かって開放する環状のバーナボディ２１と、バーナボディ２１上に載置される環状のバーナヘッド２２とを備える。バーナ用開口１２０の周縁とバーナボディ２１の外周面との間の環状の隙間には、環状のバーナリング１３が配設されている。
【００２６】
バーナボディ２１は、ガス通路２００の上端に嵌合された環状のヘッド支持フレーム２３を有する。ヘッド支持フレーム２３のフレーム上面部２３１は、バーナ用開口１２０から上方に突出している。フレーム上面部２３１の内周縁部には下方に凹の段差部（図示せず）が形成されており、段差部には後述するバーナヘッド２２のヘッド上面部２２１の外周縁部２２２が上方から載置される。
【００２７】
バーナヘッド２２は、バーナ用開口１２０から上方に突出する環状のヘッド上面部２２１と、ヘッド上面部２２１の内周縁から下方に垂設された環状の炎孔壁２２５とを有する。炎孔壁２２５は、バーナボディ２１のガス通路２００の開放された内周側を覆うように設けられている。従って、バーナボディ２１の中央開口（図示せず）に上方からバーナヘッド２２を挿通させて、炎孔壁２２５の下端をガス通路２００の内周側の内周縁上面に当接させると、バーナヘッド２２の中心に向かって内向きに開口する多数の炎孔２０が形成される。これにより、ガス通路２００に導入される燃料ガスと空気との混合ガスが炎孔２０からバーナヘッド２２の中央開口２２０に向かって内向きに噴出される。そして、図示しない点火電極により混合ガスを着火させると、コンロバーナ２の内周に内向きに火炎が形成され、中央開口２２０を下方から上方に向かって流れる二次空気によって火炎が上方に導かれる。
【００２８】
図２及び図４に示すように、バーナ用開口１２０から上方に突出するヘッド上面部２２１は、炎孔壁２２５の外周よりも大きな外径を有し、ヘッド支持フレーム２３上に載置される環状の外周縁部２２２と、外周縁部２２２から内周側に向かって下方に傾斜する環状の傾斜面部２２３とを有する。外周縁部２２２の上面は、略平面に形成されている。また、傾斜面部２２３の内周縁には、既述した炎孔壁２２５が下方に連設されている。このため、本実施の形態では、天板１１のバーナ用開口１２０から露出するヘッド上面部２２１において、外周縁部２２２が最も高い部分となる。なお、外周縁部２２２は、傾斜面で形成されてもよい。
【００２９】
ヘッド上面部２２１には、バーナヘッド２２の周方向に離間して、上方に突出する複数（ここでは、３つ）の突起２４が点在して形成されている。複数の突起２４はそれぞれ、傾斜面部２２３の内周縁近傍から上方に突出する内周側の突起内周面部２４２と、外周縁部２２２から上方に突出する外周側の突起外周面部２４３と、突起内周面部２４２及び突起外周面部２４３の上端部を連設する突起上面部２４１と、突起内周面部２４２及び突起外周面部２４３の周方向端部を連設する一対の突起側面部（図示せず）とを有する。突起上面部２４１は平面状に形成されており、従って、突起２４は略台形状の径方向断面を有する。なお、突起外周面部２４３は、傾斜面部２２３から上方に突出させてもよいし、ヘッド上面部２２１の外周縁近傍の外周縁部２２２から上方に突出させてもよい。また、突起上面部２４１は、曲面に形成されてもよい。
【００３０】
複数の突起２４はいずれも、突起上面部２４１がヘッド上面部２２１の外周縁部２２２の上面よりも上方に位置するようにヘッド上面部２２１から突出している。図示しないが、これらの突起２４のうち最も大きな突出高さを有する最大突起２４は、後方側、すなわち使用者の操作側である前縁１１２側と反対側に形成されている。また、各突起２４は、ヘッド上面部２２１の外周縁部２２２の上面から突出する突出高さが異なるように設けられている（例えば、約２〜５ｍｍ）。さらに、複数の突起２４のうち隣接する突起２４は、バーナヘッド２２の周方向に所定の間隔（例えば、約１２０度）、離間している。
【００３１】
図４に示すように、複数の突起２４はそれぞれ、水平面に対する突起内周面部２４２の立ち上がり角度（例えば、約６０度）が、ヘッド上面部２２１の傾斜面部２２３のそれより（例えば、約４５度）も大きくなるようにヘッド上面部２２１の傾斜面部２２３から上方に突出している。このため、突起内周面部２４２は、ヘッド上面部２２１の傾斜面部２２３よりも立ち上がりが急峻な傾斜面を有する。
【００３２】
五徳３は、バーナリング１３の外周より大径の略円環状の下フレーム３１と、下フレーム３１から複数立設され、調理容器Ｐを下方から支持する略逆Ｌ字状の爪部３２と、下フレーム３１の内周上縁から内向きに張り出す略円環板状のカバー部３３とを備える。五徳３は、上記のように天板１１上の所定位置に載置されたとき、上記カバー部３３がバーナリング１３やバーナボディ２１、バーナヘッド２２を上方から覆うように構成されている。また、爪部３２はそれぞれ、同一高さに設定されており、調理容器Ｐを略水平に支持する。
【００３３】
バーナヘッド２２のヘッド上面部２２１の外周縁部２２２は、バーナボディ２１のヘッド支持フレーム２３のフレーム上面部２３１より上方に配置され、フレーム上面部２３１は、バーナリング１３のリング上面部１３１より上方に配置されている。すなわち、コンロバーナ２及びバーナリング１３は、バーナリング１３のリング上面部１３１からバーナヘッド２２のヘッド上面部２２１の外周縁部２２２に向かって段階的に天板１１からの突出高さが高くなるように、バーナ用開口１２０の周縁上部に配設されている。なお、リング上面部１３１、フレーム上面部２３１、及びヘッド上面部２２１の突出高さは、略同一であってもよい。
【００３４】
図２に示すように、五徳３が天板１１上に載置されていない状態では、天板１１上にバーナリング１３のリング上面部１３１、バーナボディ２１のヘッド支持フレーム２３のフレーム上面部２３１、及びバーナヘッド２２のヘッド上面部２２１が露出している。従って、五徳３が取り外された状態で使用者がバーナヘッド２２の中央部に調理容器Ｐを上方から載置させると、調理容器Ｐの底部は突起２４の突起上面部２４１に当接する。このとき、複数の突起２４は異なる突出高さを有するため、図４に示すように、調理容器Ｐは後方側から前方側に向かって水平面に対して傾いた姿勢でバーナヘッド２２上に保持される。これにより、コンロバーナ２の点火前に使用者に誤った使用状態を認識させることができる。また、ヘッド上面部２２１上に複数の突起２４が形成されているため、調理容器Ｐがヘッド上面部２２１からずれて１つの突起２４上に載置されていない場合でも、他の突起２４によって調理容器Ｐを水平面に対して傾いた姿勢で保持することができる。また、複数の突起２４は、隣接する突起２４間の間隔がバーナヘッド２２の周方向に１８０度未満で配設されているから、調理容器Ｐが２つの突起２４上に載置された場合でも、確実に調理容器Ｐを水平面に対して傾いた姿勢で保持することができる。
【００３５】
また、図４に示すように、突起上面部２４１はヘッド上面部２２１の最も高い部分である外周縁部２２２よりも上方に位置しているため、調理容器Ｐが突起２４上に載置されると、突起２４によって調理容器Ｐの底部と突起外周面部側の突起２４の周囲のヘッド上面部２２１との間に一定の大きさの隙間Ｓ１が形成される。このとき、調理容器Ｐの底部とヘッド上面部２２１との距離は、五徳３が天板１１上に載置された正常状態のときよりも近接しているため、コンロバーナ２が点火されたときに、火炎が見え難かったり、突起２４の周囲の隙間Ｓ１から空気不足を示す黄色の火炎が漏出したりする。これにより、コンロバーナ２の点火後に使用者に誤った使用状態を認識させることができる。
【００３６】
また、五徳３が天板１１上に載置されていない状態で調理容器Ｐをバーナヘッド２２上に載置させたときでも、調理容器Ｐの底部はヘッド上面部２２１から上方に突出する突起２４によって支持される。従って、バーナヘッド２２の中央開口２２０は調理容器Ｐによって完全に塞がれず、調理容器Ｐの底部と突起２４の周囲のヘッド上面部２２１との間に一定の大きさの隙間Ｓ１が形成される。これにより、下方の炎孔２０から噴出する混合ガスの排出通路を確保することができ、器具本体１０内への混合ガスの還流を低減することができる。これにより、コンロバーナ２の着火不良や燃焼不良を防止することができる。
【００３７】
また、最も大きな突出高さの有する最大突起２４は、使用者の操作側から離れた後方側に設けられているから、調理容器Ｐの底部と各突起２４の周囲のヘッド上面部２２１との間の隙間Ｓ１は、後方側で最も大きくなる。そのため、コンロバーナ２を点火させたとき、後方側の隙間Ｓ１から最も大きな火炎が漏出する。これにより、誤った使用状態でコンロバーナ２が点火されても、調理容器Ｐと最大突起２４の周囲のヘッド上面部２２１との間に形成される隙間Ｓ１から漏出する火炎による使用者への影響を低減することができる。
【００３８】
また、図２に示すように、天板１１上のコンロバーナ２及びバーナリング１３の突出高さは小さいため、五徳３が天板１１上に載置されていない状態でも、使用者は天板１１上でコンロバーナ２の外方から調理容器Ｐを水平方向にスライドさせてバーナヘッド２２の中央部に移動させることができる。しかしながら、突起２４はヘッド上面部２２１の外周縁よりも内周側から上方に突出する突起内周面部２４２を有しているから、図４に示すように、調理容器Ｐが１つの突起２４を乗り越えても、バーナヘッド２２の中央開口２２０を通過した調理容器Ｐの底部は他の突起２４の突起内周面部２４２に当接する。これにより、調理容器Ｐの中心がバーナヘッド２２の中心からずれて配置されるから、コンロバーナ２の点火前に使用者に誤った使用状態を認識させることができる。
【００３９】
また、図４に示すように、突起内周面部２４２の立ち上がり角度は、突起内周面部２４２が突出するヘッド上面部２２１の傾斜面部２２３のそれよりも大きいため、調理容器Ｐが突起内周面部２４２に当接したとき、調理容器Ｐの底部と突起内周面部側の突起２４の周囲のヘッド上面部２２１との間に一定の大きさの外方に向かって広がる隙間Ｓ２が形成される。そのため、上記と同様に、コンロバーナ２が点火されたときに、火炎が見え難かったり、突起２４の周囲の隙間Ｓ２から空気不足を示す黄色の火炎が漏出したりする。これにより、コンロバーナ２の点火後に使用者に誤った使用状態を認識させることができる。さらに、調理容器Ｐの底部と突起２４の周囲のヘッド上面部２２１との間に形成される隙間Ｓ２によって、炎孔２０から噴出される混合ガスの排出通路を確保することができ、器具本体１０内への混合ガスの還流を抑えることができる。これにより、五徳３が天板１１上に載置されていない状態で天板１１上を水平方向に調理容器Ｐをスライドさせて調理容器Ｐをバーナヘッド２２上に載置させたときでも、着火不良及び燃焼不良を防止することができる。
【００４０】
（その他の実施の形態）
（１）上記実施の形態では、ヘッド上面部に複数の突起が形成されている。しかしながら、図５に示すように、１つの突起がヘッド上面部に形成されてもよい。１つの突起が形成される場合、最大突起の形成位置と同様に、好ましくは使用者の操作側から離れた位置に突起が形成される。また、好ましくは、突起上面部は曲面に形成される。
（２）上記実施の形態では、ヘッド上面部は外周縁部と傾斜面部とを有し、バーナヘッドの径方向において外周縁部から傾斜面部にわたって突起が形成されている。しかしながら、外周縁部または傾斜面部のいずれか一方に突起を設けてもよい。また、傾斜面部を設けることなく、外周縁部のみからヘッド上面部を形成してもよい。
（３）上記実施の形態では、突起は、略台形状の径方向断面を有するように形成されている。しかしながら、突起は、略三角形状の径方向断面を有してもよい。
【符号の説明】
【００４１】
１        加熱調理器
１０      器具本体
１１      天板
１２０    バーナ用開口
２        コンロバーナ
２０      炎孔
２１      バーナボディ
２２      バーナヘッド
２２１    ヘッド上面部
２２３    傾斜面部
２４      突起
２４１    突起上面部
２４２    突起内周面部
３        五徳
Ｐ        調理容器
【図１】
2020176793.tif 000003
【図２】
2020176793.tif 000004
【図３】
2020176793.tif 000005
【図４】
2020176793.tif 000006
【図５】
2020176793.tif 000007